(57)【特許請求の範囲】
【請求項１】
試料取り扱い装置（１２８）であって、少なくとも１つの容器（１１８）を搬送するように構成されている搬送体（１１４）を当該試料取扱い装置（１２８）に磁気的に保持するように構成されている少なくとも１つの磁気位置決め装置（１５２）を備え、前記搬送体（１１４）を前記試料取扱い装置（１２８）内で回転させるための少なくとも２つの回転子（１６８、１７０）を更に備え、前記磁気位置決め装置（１５２）は、前記搬送体（１１４）を磁力によって前記回転子（１６８、１７０）へ引き付けるように構成されており、前記磁気位置決め装置（１５２）は、少なくとも部分的に、前記少なくとも２つの回転子（１６８、１７０）の中間に位置付けられている、試料取扱い装置（１２８）。
【請求項２】
前記少なくとも２つの回転子（１６８、１７０）は少なくとも１つのモータ（１８２）によって駆動される、請求項１に記載の試料取扱い装置（１２８）。
【請求項３】
前記搬送体（１１４）を押さえるための少なくとも１つの押さえ装置（１３４）、を更に備えている請求項１または２に記載の試料取扱い装置（１２８）。
【請求項４】
前記磁気位置決め装置（１５２）は少なくとも１つの電磁石（１５４）を備えている、請求項１から３の何れか一項に記載の試料取扱い装置（１２８）。
【請求項５】
少なくとも１つの当接面（１６０）であって、当該当接面（１６０）が部分的に前記搬送体（１１４）を取り囲み前記搬送体（１１４）を位置決めするように前記搬送体（１１４）が係合してゆける当接面（１６０）、を更に備えている請求項１から４の何れか一項に記載の試料取扱い装置（１２８）。
【請求項６】
試料識別装置（１１０）であって、
−請求項１から５の何れか一項に記載の少なくとも１つの試料取扱い装置（１２８）と、
−前記搬送体（１１４）によって搬送される前記容器（１１８）へ付着されている少なくとも１つの識別子（１３２）を読み取るための少なくとも１つのリーダ（１３０）と、
を備えている試料識別装置（１１０）。
【請求項７】
試料取扱い装置（１２８）に関する請求項１から５の何れか一項に記載の少なくとも１つの試料取扱い装置（１２８）、を備えている試料取扱いのためのシステム（１１２）であって、少なくとも１つの容器（１１８）を搬送するための少なくとも１つの搬送体（１１４）、を更に備えているシステム（１１２）。
【請求項８】
前記試料取扱い装置（１２８）は、前記搬送体（１１４）を前記試料取扱い装置（１２８）の位置に対して位置決めするために前記搬送体（１１４）の表面と係合するように構成されている少なくとも１つの当接面（１６０）を備えている、請求項７に記載のシステム（１１２）。
【請求項９】
前記システムは、前記搬送体（１１４）のための移送面（２１４）とボビン（２１２）とを有する少なくとも１つの移送装置（１２４）を更に備え、前記当接面（１６０）によって画定されている、前記試料取扱い装置（１２８）での前記搬送体（１１４）のための受渡し位置は、２つのボビン（２１２）の中間に置かれている、請求項８に記載のシステム（１１２）。
【請求項１０】
複数の試料の少なくとも１つの特性を識別するための診断装置（１２６）であって、請求項７から８の何れか一項に記載の少なくとも１つのシステム（１１２）を備え、前記試料に係る少なくとも１つの分析動作を遂行するように構成されている少なくとも１つの分析装置、を更に備えている診断装置（１２６）。
【請求項１１】
試料取扱いのための方法であって、
−少なくとも１つの磁気位置決め装置（１５２）を使用することによって、試料が中に配置されている少なくとも１つの容器（１１８）を搬送する搬送体（１１４）を請求項１から５の何れか一項に記載の試料取扱い装置（１２８）に磁気的に保持する段階と、
−前記磁気位置決め装置（１５２）を使用して、前記試料取り扱い装置（１２８）の少なくとも１つの容器（１１８）を搬送するように構成されている前記搬送体（１１４）を磁力によって前記回転子（１６８、１７０）へ引き付ける段階と、
を備えている試料取り扱いのための方法。
【請求項１２】
前記方法は下記の段階、即ち、
−少なくとも１つのリーダ（１３０）を使用することによって、前記搬送体（１１４）によって搬送される前記容器（１１８）へ付着されている少なくとも１つの識別子（１３２）を読み取る段階であって、特に下記の段階、即ち、
−少なくとも２つの回転子（１６８、１７０）を使用することによって、前記搬送体（１１４）を前記試料取扱い装置（１２８）内で回転させる段階、
を更に備えている読み取る段階、
を更に備えている、請求項１１に記載の方法。
【発明の詳細な説明】
【技術分野】
【０００１】
発明は、試料取扱い装置、試料識別装置、試料取扱いのためのシステム、診断装置、及び試料を取り扱うための方法、に関する。発明は、特に、自動的又は半自動的診断の分野、例えば高スループット診断の分野、で使用されることができる。とはいえ他の用途も実施可能であることを指摘しておきたい。
【背景技術】
【０００２】
ラボラトリ診断の分野、特に自動的若しくは半自動的なシステムを使用する高スループット診断の分野には、生物学的標本の様な試料類の高いスループットの試料取扱いの必要性が存在している。極めてよくあることとして、試料は、容器に入れて提供され、連続して又は並行して、様々な取り扱いステーション又は処理ステーションへ移送される。
【０００３】
国際公開第２０１１／１３８４４８Ａ１号は、収容器を異なるステーションの間で移送するためのシステムを開示している。収容器は、収容器搬送体に収容される。システムは、収容器搬送体の移送を制御している制御ユニットと、サブ表面へ細分化されていてその上に収容器搬送体を可動方式に配置させることのできる移送面と、を備えている。システムは、更に、制御ユニットによって活性化される駆動手段を備えている。各場合に１つの駆動手段が、各場合に１つのサブ表面に割り当てられている。各場合の駆動手段は、関連付けられている収容器搬送体に駆動パワーを提供するために設計されている。
【０００４】
試料取扱いにおいての主要な問題は試料識別の問題である。かくして、特定標本の様な特定試料を追跡する必要性が存在しており、また更にはシステムの分析ステーションの様な特定の処理ステーションに在る試料を識別する必要性が存在している。容器及び／又は試料を識別することについて、様々な技法が技術的に知られている。こうして、多くの場合は、容器には、光学的及び／又は電子的に検出できる光学的及び／又は電子的な識別子の様な１つ又はそれ以上の識別子、特に固有識別子が提供されている。この目的のために、一例として、バーコードが光学的識別子として及び／又はＲＦＩＤタグが電子的識別子として使用されることがある。しかしながら多くの場合は、識別子に格納されている情報を読取ステーションによって読み取るには、容器及び／又は試料を光学的バーコードリーダの様なリーダに向けて特定の向きに置くといったように特定のやり方で向き付けることが必要になる。
【０００５】
試料取扱いのためのシステム及び容器をリーダに対して定義された向きで提供するためのシステムは様々なものが技術的に知られている。国際公開第２０１４／０１６１９９Ａ１号は、ラボラトリ診断のために直接的且つ緊急に検査モジュールと接合されるべき生物学的標本の手動的導入及び掴み上げのための自動化モジュールを開示している。モジュールは、前記生物学的標本の入っている試験管（訳注：原文「tubes」。以下では原文の「tube(s)」も「sampling tube(s)」も「試験管」として訳す場合がある。）を搬送するために搬送装置が進んでゆく、１対の、主レーンと副レーンのうちの１つ、を備えている。自動化モジュールには、前記試験管の前記搬送装置への導入／前記試験管の前記搬送装置からの掴み上げについて別々の地点が設けられている。前記地点は、前記検査モジュールと接合されている副レーンとは反対側の副レーンに沿っている。
【０００６】
米国特許出願公開第２０１０／００１２４６０Ａ１号は、ＩＤバーコードを提供されていてコンベヤーベルトによって前進させられる搬送体の中へ挿入されている標本収容器のための収容器搬送体方向転換装置を開示している。方向転換装置は、前記搬送体の側面に回転可能に係合して搬送体を収容器の軸周りに回転自在にさせたまま搬送体の前進運動を停止させるための搬送体停止手段と、前記搬送体の上面に回転可能に係合するための搬送体押圧手段と、を備えている。弾性手段が前記搬送体押圧手段を搬送体係合位置へ押しやる。前記搬送体停止手段を搬送体停止位置へ動かすための第１の空気圧式手段と、前記搬送体押圧手段を前記弾性手段の作用に逆らって搬送体係合解除位置へ動かすための第２の空気圧式手段と、が提供されている。搬送体停止手段とは反対側のアイドルベアリングが搬送体回転を促す。ＲＦＩＤアンテナが、収容器搬送体タグを識別するために搬送体方向転換装置へ関連付けられている。
【０００７】
米国特許第６，８０５，２９４Ｂ２号は、標本を収容している収容器を保持する標本収容器ホルダと、標本収容器ホルダを運搬するホルダ運搬装置と、標本収容器ホルダが特定の位置へ運搬されることを感知するセンサと、センサから出力された情報に基づいて動作し標本収容器ホルダの運搬を一時的に停止させる運搬一時停止メカニズムと、一時的に停止している標本収容器ホルダをホルダの軸を中心に回転させる回転制御メカニズムと、回転された標本収容器ホルダによって保持されている標本収容器の表面の記録情報の画像を拾う電子カメラと、拾われた画像のデータに基づいて、記録情報をバーコードへ符号化するバーコード化装置と、を含んでいるバーコード生成機器を開示している。
【０００８】
米国特許出願公開第２０１４／０３７４４８０Ａ１号は、試験管上のバーコード情報の観察を可能にする光学装置を含んでいる、ラボ環境での使用向けの試験管ホルダを開示している。光学装置はレンズ又はカメラを含むことができる。バーコードの読み取りが試験管を試験管ホルダに入れるときの厳格な初期向き付けを必要としないよう、試験管ホルダは、更に、反射性の表面又は試験管を回転させられる機械的なメカニズムを含むこともできる。試験管のアレイは、バーコードを外部画像化装置に読み取らせるようにするために光学ガイドを含むことができる。
【０００９】
米国特許出願公開第２０１３／０１２５６７５Ａ１号は、分取器（aliquotter）モジュール内の吸引位置に置かれた一次試料収容器中の試料の分取体積を吸引する段階と、試料の分取体積を分取器モジュール内の分注位置に置かれた二次試料収容器に分注する段階と、を含む方法を開示している。方法は、更に、二次試料収容器に一次試料収容器より前に分取器モジュールを去らせる段階を含んでいる。「パック(pucks。原文の他の箇所では単数形も用いられている)」とも呼称される試料搬送体を特定の軌道上で移送するために磁性要素が使用されている。
【００１０】
米国特許第８，９１５，４２１Ｂ２号は、固有受入番号の様な試験管ラベルバーコード情報を、検査コード情報、検査部署、標本温度の様な他の有用なラボラトリ情報と共に、転送／リンク付け／結合する処理方法であって、継続的に動くコンベヤーベルト上で継続的に動いてゆくＲＦＩＤ標本移送パックとＲＦＩＤ標本移送パック上のＲＦＩＤチップへ情報を書き込むＲＦＩＤリーダ／ライタを使用して転送／リンク付け／結合する処理方法を開示している。処理方法は、標本移送パックをコンベヤー上で離間させ、バーコード付きの試験管を保持している標本移送パックを、標本が継続的に前方へ動かされてゆく間にベルトコンベヤの傍の回転輪を使用して回転させ、分散されているバーコードリーダを使用して標本試験管ラベルからバーコード情報を読み出し、試験管バーコードラベルからの情報を、試験管を保持する標本移送パック側のＲＦＩＤチップへ、コンベヤーベルトの下のＲＦＩＤリーダ／ライタ、ＰＬＣ、及びデータベースサーバを使用して転送／リンク付け／結合する、というものである。
【００１１】
以上に言及されている先行技術文献に開示されている装置及び方法の様な既知の装置及び方法によって示唆される利点にもかかわらず、幾つかの主要な技術的課題が今なお存在する。というのも、概して、試料容器及び専用の明確に定義された位置と向きを提供するための既知の装置及び方法は、嵩張り、高価である。また、容器の回転が要求されるときは、回転子と、容器を回転子に当てて押圧する少なくとも１つの要素と、が典型的には必要である。しかしながら押圧要素の使用は、コンパクトな取り扱いシステムでは提供するのが典型的に困難である追加の空間を必要とする。また、押圧要素は、典型的には、滑動可能な様式に取り付けるといった様に可動又は枢動可能な方式に取り付けられなくてならず、そうすると追加の駆動機構及び／又はセンサが必要になる。
【先行技術文献】
【特許文献】
【００１２】
【特許文献１】国際公開第２０１１／１３８４４８Ａ１号
【特許文献２】国際公開第２０１４／０１６１９９Ａ１号
【特許文献３】米国特許出願公開第２０１０／００１２４６０Ａ１号
【特許文献４】米国特許第６，８０５，２９４Ｂ２号
【特許文献５】米国特許出願公開第２０１４／０３７４４８０Ａ１号
【特許文献６】米国特許出願公開第２０１３／０１２５６７５Ａ１号
【特許文献７】米国特許第８，９１５，４２１Ｂ２号
【発明の概要】
【発明が解決しようとする課題】
【００１３】
したがって、本発明の目的は、試料取扱いのための既知の装置及び方法の技術的短所及び課題、特に以上に述べられている技術的短所及び課題、を少なくとも一部は克服する装置及び方法を開示することである。特に、要求される構築体積が小さく、低コストで実施可能で、しかも高信頼度であり、高いスループットの試料取扱いを可能にする、試料取扱い装置、試料識別装置、試料取扱いのためのシステム、診断装置、及び試料取扱いのための方法を開示するものである。
【課題を解決するための手段】
【００１４】
この課題は、特許請求の範囲の独立請求項の特徴を有する、試料取扱い装置、試料識別装置、試料取扱いのためのシステム、診断装置、及び試料取扱いのための方法、によって解決される。好適な実施形態は、単独化された様式で実現することもできるであろうし又は何れかの任意の組み合わせで実現することもできるものであって、従属請求項に記載されている。
【００１５】
下記での使用に際し、「有する(have)」、「備える(comprise)」、又は「含む(include)」という用語又はそれらの語の何れかの任意の文法的変化形は、非排他的に使用されている。したがって、これらの用語は、これらの用語によって前置きされる特徴とは別に、更なる特徴がこの文脈で説明されているエンティティに存在していないという状況を言い表すとともに、１つ又はそれ以上の更なる特徴が存在しているという状況も言い表すものとする。一例として、「ＡはＢを有する」、「ＡはＢを備える」、及び「ＡはＢを含む」という表現は、ＡにはＢとは別に他の要素が何も存在していないという状況（即ち、Ａは唯一且つ排他的にＢから成るという状況）を言い表すとともに、エンティティＡにはＢとは別に１つ又はそれ以上の更なる要素、例えば、要素Ｃ、要素Ｃ及び要素Ｄ、又は更にそれ以上の要素など、が存在しているという状況も言い表すものとする。
【００１６】
また、「少なくとも１(at least one)」、「１又はそれ以上(one or more)」、又は、或る特徴又は要素が一回若しくはそれ以上存在することを示唆する類似の表現は、典型的には、それぞれの特徴又は要素を紹介する際に一回に限って使用するつもりであることに留意されたい。下記では、それぞれの特徴又は要素に言及する際、殆どの場合に、それぞれの特徴又は要素が一回又はそれ以上存在することもあるという事実にもかかわらず「少なくとも１」又は「１又はそれ以上」という表現を繰り返すことはしない。
【００１７】
また、下記での使用に際し、「好適には(preferably)」、「より好適には(more preferably)」、「特に(particularly)」、「更にとりわけ(more particularly)」、「具体的に(specifically)」、「より具体的に(more specifically)」という用語又は類似の用語は、代替的な実施可能性を制限すること無く、随意的な特徴と関連して使用されている。したがって、これらの用語によって前置きされる特徴は、随意的な特徴であり、特許請求の範囲の権利範囲を如何様にも制限するものではない。当業者には認識される様に、発明は代替的な特徴を使用することによって遂行されてもよい。同様に、「発明の或る実施形態では(in an embodiment of the invention)」又は類似の表現によって前置きされる特徴は、随意的な特徴とされることを意図しており、発明の代替的な実施形態に関して何らの制限も持たず、発明の範囲に関して何らの制限も持たず、またその様なやり方で前置きされる特徴を発明の他の随意的又は非随意的な特徴と組み合わせることの実施可能性に関して何らの制限も持たない。
【００１８】
本発明の第１の態様では、試料取扱い装置が開示されている。ここでの使用に際し、「試料取扱い装置(sample handling device)」という用語は、概して、１つ又はそれ以上の試料を同時に取り扱い及び操作することのできる装置をいう。その点で、「取り扱う(handle)」という用語は、概して、試料を、移送する(transporting)、動かす(moving)、位置決めする(positioning)、向き付ける(orientating)、回転させる(rotating)又は操作する(operating)、のうちの１つ又はそれ以上のプロセスを指し、操作するは、例えば、試料を収容している容器を開けるプロセスを含む。その点では、そして下記では、概して、試料を収容している容器と試料それ自体の間に違いはないものとする。したがって、「試料を取り扱う(handling a sample)」と言うとき、試料を収容している容器を取り扱うというプロセスがこの用語によって示唆されるものとする。容器を搬送する搬送体は、更に、試料取扱い装置の一部であってもよいし、又は試料取扱い装置は単に搬送体を取り扱うように構成されていてもよい。
【００１９】
発明の更なる態様では、試料識別装置であって、本発明による少なくとも１つの試料取扱い装置を備え、以下により詳細に解説されている少なくとも１つのリーダを更に備えている試料識別装置が開示されている。ここでの使用に際し、「試料識別装置(sample identification device)」とは、概して、少なくとも１つの目的物を識別することのできる装置をいう。その点での使用に際し、「識別する(identifying)」という用語は、概して、目的物の身元、目的物の性質、目的物の数、目的物へ割り当てられている固有情報、又は目的物に関係する何れかの他の情報であって目的物を特徴付ける又は識別する情報、のうちの１つ又はそれ以上を認識するプロセスをいう。一例として、目的物を識別するということには、目的物へ付着されている又は割り当てられている番号であって固有に目的物を識別する又は目的物を特徴付ける番号を読み取ることを含めてもよい。したがって、各々が固有の識別子を有している複数目的物のエンティティが提供されていてもよく、この点においては、目的物を識別するというプロセスは固有識別子を読み取ることを示唆する。更にここでの、また下記での使用に際し、「識別子(identifier)」とは、概して、識別子が付着されている又は割り当てられている目的物を固有に識別する情報を担持することのできる情報担体をいう。一例として、また以下により詳細に要点を述べられている様に、識別子は、具体的には、光学識別子及び／又は非接触電子識別子の様な非接触に読み取ることのできる識別子であってもよい。一例として、識別子は、一次元、二次元、また更には三次元のバーコードを備えていてもよい。追加的又は代替的に、少なくとも１つの識別子は少なくとも１つの無線識別素子（ＲＦＩＤ）を備えていてもよい（訳注：原文は「rapid frequency identification device (RFID)」。原文をそのまま訳すと「急速周波数識別素子」となるが、本明細書に記載のような機能を有する「RFID」は通常「radio frequency identification device」の略語である。したがって、原文の「rapid」は「radio」の誤記であると思われる。）。他の実施例も可能である。
【００２０】
試料取扱い装置及び試料識別装置は、具体的には、高スループット診断で使用することができ、例えば高スループット診断装置などで使用することができる。高スループット診断装置の考えられる実施例については、以上に言及されている先行技術文献及びそれらに開示されている診断装置及び診断システムを参照することができる。これらのシステムの１つ又はそれ以上には、本発明の中で提案されている試料取扱い装置及び試料識別装置を単純、容易に実施することができるであろう。
【００２１】
試料取扱い装置は、搬送体を試料取り扱い装置に磁気的に保持するための少なくとも１つの磁気位置決め装置を備えている。搬送体は、少なくとも１つの容器を搬送するように構成されていてもよい。その点で、磁気位置決め装置とは、概して、目的物へ磁力を及ぼすことによって目的物を保持する、位置決めする、向き付ける、又は回転させる、のうちの１つ又はそれ以上の能力のある装置をいう。「保持する(holding)」という用語は、概して、搬送体の位置を維持する又は搬送体を既定位置に又は一連の位置へ持ってくるプロセスをいい、この点においては、既定位置内に保持されているとき、目的物は取り扱われ又は回転されてもよい。したがって、具体的には、保持するというプロセスは、特には、搬送体の既定位置を保つプロセスを、この既定位置にて搬送体を回転させるというオプションとともに含意してもよい。
【００２２】
更にここでの使用に際し、「磁気的に保持する(magnetically holding)」という用語は、概して、１つ又はそれ以上の磁力を使用することによって保持するプロセスをいう。具体的には、磁気的に保持するとは、磁気的に保持される目的物へ１つ又はそれ以上の引力を及ぼすことを含意することもある。
【００２３】
更にここでの使用に際し、「搬送体(carrier)」と言う用語は、概して、１つ又はそれ以上の目的物を、これらの目的物を既定の様式で動かす及び／又は向き付けるために支持する又は載せることのできる装置をいう。更に以下により詳細に要点を述べられている様に、搬送体は、一例として、搬送体本体と、搬送体本体へ付着されている及び／又は一体化されている少なくとも１つのレセプタクルを備えていてもよい。搬送体は、一例として、回転対称性を有していてもよい。したがって、一例として、搬送体は、具体的には、回転対称性の円盤であるか又は回転対称性の円盤を備えていてもよい。この型式の搬送体は文献ではしばしば「パック」と呼称されている。パックは、一例として、同心のドリルホール又はボアの様な同心のレセプタクル又は円盤から軸方向に突き出ている同心のレセプタクルを有していてもよい。同じく以下に更に詳細に要点を述べられている様に、搬送体は、具体的には、１つ又はそれ以上の磁性材料、即ち磁気位置決め装置の様な磁石によって引き寄せられることのできる１つ又はそれ以上の材料、で作られていてもよい。
【００２４】
更にここでの使用に際し、容器(vessel)とは、概して、１つ又はそれ以上の生物学的標本及び／又は１つ又はそれ以上の液体試料の様な１つ又はそれ以上の試料を受け入れることのできる任意の入れ物(container)をいう。
【００２５】
以上に要点を述べられている様に、言葉の上では、多くの場合、試料そのものと試料を収容している容器の間に違いはない。したがって、下記では、試料に言及するときはいつも、随意的に試料は容器に入れられているとしてもよい。容器は、具体的には透明材料、特に剛性のある透明材料、で作られていてもよい。一例として、ガラス容器及び／又は透明プラスチック容器を使用することができる。とはいえ他の型式の容器も使用可能であることを指摘しておきたい。容器は、具体的には、試験管の様な回転対称性の容器であってもよい。したがって下記では、他の型式の容器を使用するというオプションを縛るものではないが、しばしば容器は「試験管(tube)」とも呼称されている。
【００２６】
試料識別装置は、搬送体によって搬送される容器へ付着されている少なくとも１つの識別子を読み取るための少なくとも１つのリーダを更に備えている。ここでの使用に際し、「リーダ(reader)」とは、概して、以上に与えられている定義に従う識別子に格納されている少なくとも１件の情報を検出する及び／又は読み取ることのできる装置をいう。リーダは、情報を検出することができ、随意的には、更に、情報に格納されている少なくとも１つの二次的な情報を解読するなどして情報を全体的又は部分的に処理するようになっていてもよい。一例として、情報が符号化されているなら、その場合、情報を読み取るプロセスは情報を復号することを示唆することもある。したがって、識別子を読み取るプロセスは、試料の身元及び／又は容器の身元に関する少なくとも１件の二次的情報を生成するというプロセスを含意することもある。リーダは、具体的には、情報を非接触で読み取るためのリーダであってもよく、例えば光学的リーダ、一例としてバーコードリーダ、より好適にはラインスキャナの様なバーコードスキャナ、などであってもよい。但し、追加的又は代替的に、リーダは更にＲＦＩＤリーダの様な他の型式のリーダを含意することもある。
【００２７】
少なくとも１つの識別子は搬送体によって搬送される容器へ付着されている。容器を搬送する搬送体は、更に、試料識別装置の一部であってもよい。その点で、「付着されている(attached)」という用語は、概して、識別子を容器へ局所的に割り当てる任意のやり方を指すとしてもよい。したがって、一例として、識別子は、容器の外面又は内面へ付着されていてもよい。但し、追加的又は代替的に識別子は全体的又は部分的に容器へ、例えば容器の少なくとも１つの壁などへ、一体化されていてもよい。識別子は、更に、容器のランダム構造、例えば容器の壁内部の気泡など、を固有識別子として使用するといった様に、容器そのものの一部になっていてもよい。識別子を容器に局所的に割り当てる他のやり方も概して実施可能である。
【００２８】
試料取扱い装置及び／又は試料識別装置は、更に、少なくとも１つのコントローラを備えていてもよい。ここでの使用に際し、「コントローラ(controller)」という用語は、概して、システムの動作を制御するように構成されている任意の装置をいう。その点で、「制御する(controlling)」という用語は、概して、或るプロセスに定義された様式又は定義可能な様式で影響を与える又は調整する任意のプロセスをいう。一例として、コントローラは、試料識別装置での一連の動作段階に全体的又は部分的に影響を与えるように適合されていてもよい。コントローラは概してエレクトロニクスの技術で知られている。コントローラは、具体的には、制御プロセスを走らせるため、少なくとも１つのコンピュータ、少なくとも１つのプロセッサ又は少なくとも１つの集積回路、を備えていてもよい。一例として、少なくとも１つマイクロコントローラ又はマイクロコンピュータが備えられていてもよく、及び／又は少なくとも１つの特定用途向け回路（application-specific circuit：ＡＳＩＣ）が備えられていてもよい。コントローラは、具体的には、１つ又はそれ以上のソフトウェア構成要素をその上で走らせるように構成されていて、こうして以下に更に詳細に要点を述べられているソフトウェアプログラミング向けに構成されることができる。したがって、以下に更に詳細に解説されている試料取扱い装置、試料識別装置、及び／又は試料取扱いのための方法は、以下に更に詳細に要点を述べられている様に少なくとも１つのコンピュータプログラムを使用することによって全体的又は部分的にソフトウェア支援型とすることができる。試料取扱い装置及び試料識別装置がそれぞれ独立したコントローラを備えていてもよいし、又は少なくとも１つのコントローラが少なくとも一部を試料取扱い装置のために使用されると共に少なくとも一部を試料識別装置のために使用されるようになっていてもよい。
【００２９】
試料識別装置によって備えられているコントローラは、試料取扱い装置で搬送体によって搬送される容器へ付着されている識別子がリーダによって検出可能となるよう、好適にはリーダによって視認可能となるよう、試料取扱い装置及び／又は試料識別装置を制御するように構成されていてもよい。したがって、一例として、コントローラは、搬送体によって搬送される容器が、容器へ付着されている少なくとも１つの識別子がリーダによって読み取り可能となるような特定のやり方で向き付けられ及び／又は方向転換され又は回転されるように、試料取扱い装置を制御するように構成されていてもよい。一例として、少なくとも１つのバーコードは、バーコードリーダの視野内へ入れられるように、例えばバーコードラインスキャナの視野内に入れられるように、なっていてもよい。概して、向き付けは、容器が既定の向きに留まるような永久的向き付けであってもよいし、向き付けは回転を備えていてもよい。
【００３０】
リーダは、具体的には、以上に要点を述べられている少なくとも１つの非接触識別子を読み取るように構成されていてもよい。一例として、リーダは、具体的には、バーコードリーダとして及び／又はＲＦＩＤタグリーダとして構成されていてもよい。
【００３１】
リーダは、具体的には、少なくとも１つの光学的リーダを備えていてもよい。一例として、リーダは、少なくとも１つのバーコードリーダを備えていてもよい。光学的リーダは、一例として、二次元スキャナ又はラインスキャナの様なスキャナであるか又は光学的リーダはスキャナを備えていてもよい。一例として、光学的リーダは、少なくとも１つのラインスキャナ、好適には試料取扱い装置での搬送体の回転軸に平行な線をスキャンするように構成されているラインスキャナであるか又はその様なスキャナを備えていてもよい。したがって、以下に更に詳細に要点を述べられている様に、試料取扱い装置は、搬送体及び／又は搬送体に収容されている容器を、既定のやり方で、例えば回転軸などの周りに、回転させるための少なくとも１つの回転子を備えていてもよい。一例として、回転軸は、容器が回転対称性の容器である場合には、容器の軸に平行であるのが好適である。一例として、少なくとも１つの回転子は、円盤の形状の搬送体又はパックをパックの軸周りに回転させるように構成されていて、その結果、例えば搬送体の中に在る試験管、一例として搬送体のレセプタクルに受け入れられている試験管が試験管の回転軸周りに回転される、というようになっていてもよい。リーダの随意的なラインスキャナは、具体的には、試料取扱い装置での搬送体の回転軸に平行な少なくとも１本の線、例えば試験管の対称の軸の様な容器の対称の軸に平行な少なくとも１本の線、をスキャンするように構成されていてもよい。
【００３２】
試料取扱い装置は、試料取扱い装置内で搬送体を回転させるための少なくとも１つの回転子を更に備えていてもよい。ここでの使用に際し、「回転子(rotor)」という用語は、概して、目的物の少なくとも１つの回転軸(axis)又は駆動軸(axle)周りの回転運動をひき起こすように構成されている任意の装置をいう。一例として、回転子は、ホイール、回転円筒、回転駆動軸、回転ローラー、回転ドラム、回転バレル、ベルト、チェーン、など、のうちの１つ又はそれ以上を備えていてもよい。名前の挙げられた装置及び／又は他の装置の組合せも実現可能である。具体的には、回転子は、少なくとも１つのモータによるなどで回転式に駆動させることのできる少なくとも１つの回転対称要素を備えていてもよい。
【００３３】
磁気位置決め装置は、具体的には、搬送体を磁力によって回転子へ引き付けるように構成されていてもよい。したがって、具体的には、磁気位置決め装置は、以下に更に詳細に解説される、少なくとも１つの引き寄せ電磁石の様な少なくとも１つの引き寄せ磁石を備えていてもよい。磁気位置決め装置は、回転子の回転運動を搬送体へ、ひいては搬送体に収容されている容器へ、伝達させるように、具体的には、搬送体を回転子へ引き付けてよい。その結果、磁気位置決め装置によって、搬送体は試料取扱い装置内で固定的に保持されるだけでなく、搬送体は更に回転子によって回転させられる及び／又は向け直されるようにするために回転子に向けて引き寄せられることになる。こうして、磁気位置決め装置が搬送体を回転子へ引き付けるのと共に、磁気位置決め装置及び少なくとも１つの回転子の組み合わせ作用によって、試料取扱い装置での試料の向き付けが起こることになる。一例として、回転子は、円周面の様な回転運動を遂行する外面を備えていてもよく、磁気位置決め装置は、搬送体の外周面の様な搬送体の外面が回転子の外周面へ引き付けられるという様に、搬送体を回転子へ引き付けるように構成されていてもよい。それにより、回転子の円周面の運動は搬送体の円周面側へ伝達され、ひいては搬送体そのものへ伝達される。以上に要点を述べられている様に、試料の向き付けは、搬送体及び／又はその中に在る容器を既定の向きに入れることによる向き付けであって、搬送体及び／又は容器が既定の向きに留められる向き付けであってもよいし、又は、搬送体及び／又はその中の容器が回転されるとように向き付けは回転を備えていてもよい。
【００３４】
試料取扱い装置は１つ又はそれ以上の回転子を収容していてもよい。具体的には、試料取扱い装置は少なくとも２つの回転子を備えていてもよい。回転子は、具体的には、少なくとも２つの回転子の回転軸が実質的に搬送体の及び／又は容器の回転軸に平行な向きになるように向き付けられていてもよい。こうして、少なくとも２つの回転子は、それらの円周面で以て、搬送体の円周面に異なる２点にて係合することができる。回転子のうち一方が駆動されてもよいし又は両方が駆動されてもよい。
【００３５】
以下に更に詳細に要点を述べられている様に、回転子は、磁気位置決め装置と共に当接面を形成し、そこへ搬送体、特にパック、具体的には丸い搬送体が少なくとも部分的に係合してゆき、その結果、当接面が搬送体を部分的に取り囲み、こうして搬送体を位置決めする、というようになっていてもよい。磁気的な引き寄せ力を及ぼすことによって、搬送体を当接面へ引き付けることができる。
【００３６】
少なくとも１つの回転子は、概して、少なくとも１つの回転子シャフトと、少なくとも１つのゴム引き部と、を備えていてもよい。したがって、少なくとも１つの回転子シャフトは全体的又は部分的にゴム引きされていてもよい。ここでの使用に際し、「ゴム引きする(rubberize)」という用語は、概して、少なくとも１つの粘着性又は滑りにくい要素又は面を別の要素へ適用する行為をいう。一例として、１つ又はそれ以上のゴムバンド及び／又は１つ又はそれ以上のゴムリング又はＯリングが回転子シャフトの周りに円周方向式に付着されていてもよい。
【００３７】
少なくとも１つの回転子は、具体的には、少なくとも１つのモータによって駆動されていてもよい。その点で、複数の回転子が提供されている場合、回転子のうち１つ又はそれ以上が駆動されてもよいし、或いは更に回転子全てが駆動されてもよい。一例として、複数の回転子が駆動される場合、回転子の駆動は、例えば複数の回転子を駆動するのに１つの同じモータを使用するなどによって、同期された様式で起こるようになっていてもよい。少なくとも１つのモータは、具体的には、少なくとも１つのステップモータを備えていてもよい。少なくとも１つのモータは、少なくとも１つのギヤ及び／又は少なくとも１つの駆動機構を使用することによって、少なくとも１つの回転子を駆動するようになっていてもよい。一例として、少なくとも１つのモータは少なくとも１つの回転子へ、少なくとも１つの駆動ベルトを介して及び／又は少なくとも１つの他の引張手段を介して、例えば少なくとも１つのチェーンを介するなどして、接続されていてもよい。とはいえ、他の駆動機構も追加的又は代替的に実施可能である。少なくとも１つの引張手段が回転子を駆動するのに使用される場合には、少なくとも１つのベルト及び／又は少なくとも１つのチェーンの様な少なくとも１つの引張手段は、少なくとも１つのベルト張力装置及び／又は少なくとも１つのチェーン張力装置の様な少なくとも１つの張力装置によって張力を掛けられるようになっていてもよく、張力装置は、具体的には、試料取扱い装置及び／又は試料識別装置の一部であってもよい。
【００３８】
試料向き付け装置及び／又は試料識別装置と呼称する又はとして具現化することもできる、試料取り扱い装置は、それぞれ更なる要素又は更なる装置を含むこともできる。したがって、一例として、取扱い装置は、搬送体を保持するための少なくとも１つのホールドダウン装置を更に備えていてもよい。ここでの使用に際し、「ホールドダウン装置(holding-down device)」という用語は、概して、搬送体を支持面又は支持ベルト上に保持するといったような目的で、搬送体を既定の平坦位置に保持することのできる任意の要素又は装置をいう。この目的のために、ホールドダウン装置は、少なくとも１つのホールドダウン要素、例えば少なくとも１つのホールドダウン面、ホールドダウン当接要素、又はホールドダウンレバーなど、を備えていてもよい。他の例示としての実施形態も概して実現可能である。ホールドダウン装置は、更に、以下により詳細に要点を述べられている試料取り扱いのためのシステム内で独立に、試料取扱い装置及び／又は試料識別装置から独立して実施されていてもよい。こうして、容器を空の搬送体へ挿入するために及び／又は容器を搬送体から取り出すために、搬送体を平坦位置に保持しておかなくてはならないときはいつも、ホールドダウン装置を使用することができる。したがって、一例として、ホールドダウン装置は、概して、搬送体が浮き上がる又は持ち上がることのないように搬送体の上に部分的に位置付けられる縁部を備えていてもよい。
【００３９】
磁気位置決め装置は、以上に述べられている様に、具体的には電気的に切換可能であってもよい。したがって、一例として、磁気位置決め装置は、具体的には、少なくとも１つの電磁石を備えていてもよい。ここでの使用に際し、「電磁石(electromagnet)」という用語は、概して、１つ又はそれ以上の電流によって誘導される磁気に基づく磁石をいう。具体的には、電磁石は、少なくとも１つの電磁石コイルと、随意であるが１つ又はそれ以上のコアであって、具体的には少なくとも１つのコイルを全体的又は部分的に貫通している軟磁性材料及び／又は強磁性材料の様な磁性材料で作られたコアと、を備えていてもよい。
【００４０】
具体的には、電磁石は、前記の少なくとも１つのコイルとは別に、少なくとも１つのコアを備えていてもよい。概してここでの使用に際し、「コア（core）」とは、電磁石の分野において一般的な様に、概して、全体的又は部分的に軟磁性材料及び／又は強磁性材料で作られている要素の様な磁性要素であって電磁石のコイル又はソレノイドの中へ全体的又は部分的に挿入されている磁性要素をいう。概してコアは、以下に更に詳細に要点を述べられている様に任意の形状を有することができる。したがって、最も単純な事例では、コアは、単に棒の様な細長く真っ直ぐなコアであるか又はその様なコアを備え、コイルがコアの周りに全体的又は部分的に巻かれていてもよい。コアは、コイルの内に固定的に配置されていてもよいし、又は全体的又は部分的に動かせるようになっていてもよい。代替的に、コアは、更に、異なる形状を提供していてもよい。したがって、以下に更に詳細に要点を述べられている様に、Ｅ字形状のコア及び／又はＵ字形状のコアを使用することもできる。また、少なくとも１つのコイルをその上に配置させているコアは、概して磁場の閉ループを提供するように構成されていてもよく、その場合、コアには１つ又はそれ以上のギャップを存在させるようにしていてもよい。コアは、磁場の閉ループを、単独化された様式で提供していてもよいし、又は同じく全体的又は部分的に軟磁性材料及び／又は強磁性材料で作られている少なくとも１つの搬送体と共に提供していてもよい。したがって、一例として、以下に更に詳細に要点を述べられている様に、屈曲コアの端部が搬送体の方を指していて、搬送体はこれらの端部のうちの２つ又はそれ以上を相互接続し、それにより磁場の閉ループを提供するようになっていてもよい。コア材料として及び／又は搬送体材料として使用することのできる軟磁性材料の一例として鉄が挙げられ得る。但し他の軟磁性材料も実現可能である。
【００４１】
以上に要点を述べられているコアは、具体的には、２つ又はそれ以上の腕部を形成している屈曲コアであってもよい。電磁石の少なくとも１つのコイルが、それら腕部のうちの少なくとも１つに、及び／又は特にＥ字形状コアの事例及び／又はＵ字形状コアの事例ではコアの背骨部に、配置されていてもよい。具体的には、コアは少なくとも２つの腕部を有することができ、その場合、腕部のうちの少なくとも２つは試料取扱い装置の搬送体の方を指している端部を有している。従って、以上に要点を述べられている様に、搬送体は、少なくとも２つの腕部を好適にも間に僅かなギャップを設けて磁気的に相互接続し、こうして磁気ループを閉じることができる。一例として、端部は、各端部と試料取扱い装置の搬送体の間のエアギャップが１０ミリメートルより小さくなるように、好適には５ミリメートルより小さくなるように、例えば０．５ミリメートルから５ミリメートルになるようにして、搬送体の方を指していてもよい。
【００４２】
以上に要点を述べられている様に、この閉ループは様々な幾何学形状に実現させることができる。一例として、コアは少なくとも１つのＥ字形状コアを備えているか又はＩ字形状コアであり、コアの真ん中の腕部が試料取扱い装置の搬送体の方を指し、真ん中の腕部の互いに反対側の２つの外側腕部も同様に試料取扱い装置の搬送体の方を指しているものであってもよい。
【００４３】
追加的又は代替的に、コアは、少なくとも１つのＵ字形状コアであるか又は少なくとも１つのＵ字形状コアを備え、Ｕ字形状コアの２つの端部、例えばＵ字の２つの腕部の端部が、試料取扱い装置の搬送体の方を指しているものであってもよい。電磁石の少なくとも１つのコイルは、この場合、例えば、Ｕ字形状コアの背骨部に及び／又は一方の腕部又は両方の腕部に配置されていてもよい。様々な幾何学形状が概して実現可能である。
【００４４】
以上に要点を述べられている様に、コアは、具体的には、閉じた磁気ループを提供するように設計されていてもよい。その点で、閉じた磁気ループを提供するために、１つ又はそれ以上の更なる要素がコアと相互作用するようになっていてもよい。以上に要点を述べられている様に、試料搬送体自体が、コアの２つ又はそれ以上の腕部又は端部と磁気的に相互接続するために、磁気ループに加わっていてもよい。追加的又は代替的に、試料識別装置の上述の回転子が、全体的又は部分的に、磁気ループに加わっていて、更に磁気ループを閉じるのを支援していてもよい。従って、以上に要点を述べられている様に、少なくとも１つの試料識別装置は少なくとも１つの回転子を有するものとすることができる。少なくとも１つの回転子は、全体的又は部分的に、コアの少なくとも１つの端部と試料取扱い装置の搬送体の間に位置付けられていてもよい。回転子は、全体的又は部分的に、軟磁性材料及び／又は強磁性材料の様な磁性材料で作られていてもよい。一例として、先と同様に、鉄が使用されていてもよい。とはいえ、代わりに、回転子は、全体的又は部分的に、非磁性ステンレス鋼又はアルミニウムの様な非磁性材料で作られていてもよい。後者は、磁力からのより急速な解放又はより急速なスイッチオフを可能にさせるためには好適であろう。但し他の材料も実現可能である。
【００４５】
本発明の更なる態様では、試料取扱いのためのシステムが開示されている。システムは、本発明による少なくとも１つの試料取り扱い装置、例えば上述の実施形態の何れか１つによるもの及び／又は以下に更に詳細に開示されている実施形態の何れか１つによるものなど、を備えている。システムによって備えられている試料取扱い装置は、システムの一部である試料識別装置の一部であってもよい。とはいえ、追加的又は代替的に、システムは、試料識別装置の一部ではなく異なる目的に使用される１つ又はそれ以上の試料取扱い装置、を備えていてもよい。したがって、一例として、１つ又はそれ以上の試料取扱い装置は、容器が搬送体から取り出され１つ又はそれ以上の容器ラックへ移されるといった様に保存位置へ移されるシステムのステーションに設けられていてもよい。試料取扱い装置は、この実施形態では、具体的には、容器がラック内でそれらのバーコード及び／又は識別子が正面にくるような既定のやり方で向き付けられるようにするといった様に、容器を既定の様式で向き付けるために使用することができる。とはいえ、他の実施形態も実現可能である。
【００４６】
システムは、少なくとも１つの容器を搬送するための少なくとも１つの搬送体を更に備えている。試料取扱い装置、試料識別装置、及び搬送体及び／又は容器の更なる詳細については、以上に与えられている開示を参照することができる。
【００４７】
以上に要点を述べられている様に、搬送体は全体的又は部分的に磁性材料で作られていてもよい。搬送体は、全体的又は部分的に、少なくとも１つの磁気的に軟らかい材料又は少なくとも１つの強磁性材料のうちの１つ又はそれ以上で作られていてもよい。先と同じく、一例として、例えば鉄などの磁鉄材料が挙げられる。搬送体は、具体的には、回転対称性を有していてもよい。したがって、一例としては、以上に要点を述べられている様に、搬送体は具体的にはパックの様な回転対称性の円盤とすることができる。搬送体は、概して、容器を受け入れるための少なくとも１つのレセプタクルを備えていてもよい。レセプタクルの更なる詳細及び随意的な実施形態については、以上に与えられている開示を参照することができる。
【００４８】
システムは、レセプタクルに受け入れられる少なくとも１つの容器を更に備えることができる。容器の随意的な実施形態については、以上に与えられている実施形態の１つ又はそれ以上を参照することができる。具体的には、容器は少なくとも１つの試験管であるか又は少なくとも１つの試験管を備えていてもよい。容器は、搬送体の上側でレセプタクルから突き出ていてもよい。ここでの使用に際し、「上側(upper side)」と言う用語は、概して、搬送体の通常の使用時に重力が搬送体へ作用する方向に対比して反対方向をいう。したがって、一例として、搬送体は、平坦な下側の様な下側と、上側と、を有していて、上側には容器が上側で搬送体から突き出るように少なくとも１つのレセプタクルが配置されていてもよい。
【００４９】
システムは、複数の搬送体を移送するための少なくとも１つの移送装置を更に備えることができる。したがって、一例として、移送装置は、１つ又はそれ以上の容器が各搬送体に配置された状態で複数の搬送体を次々に及び／又は並行してシステムの複数のステーションの間で移送するように適合されていてもよい。したがって、一例として、システムは、分析ステーション、調製ステーション、評価ステーション、計測ステーション、保存ステーション、などの様な、様々なステーションを備えることができる。よって、上述の試料取扱い装置及び／又は試料識別装置はシステムの１つのステーションとして使用されてもよいし、又は複数のこれらの試料取扱い装置及び／又は識別装置が提供されている場合にはシステムの複数のステーションとして使用されてもよい。したがって、以上に要点を述べられている様に、システムは、少なくとも１つの試料取扱い装置を有する少なくとも１つの試料識別装置を備えることができ、随意的には、試料識別装置の一部ではなく他の目的に使用される少なくとも１つの試料取扱い装置を更に備えていてもよい。
【００５０】
移送装置は、一例として、ベルト形状の移送装置を提供していてもよく、及び／又は例えば搬送体を動き回らせることによって及び／又は搬送体を方向転換させることによって搬送体を移送するように構成されている１つ又はそれ以上のアクター（訳注：原文「one or more actors configured to...」。ここでの「actor(s)」は「・・・ような役割を果たす物（機構）」または「・・・のように働く物」などの意味であると解される。「actor」のこのような用法を一語で適切に表す周知の訳語は見当たらないため、本翻訳文では「アクター」と訳す）を有する別の型式の移送装置を提供していてもよい。追加的又は代替的に使用することのできる一例として、移送装置は、更に、搬送体を磁気的に移送するように構成されている磁気移送装置を提供することができる。移送装置は、上述の随意的な少なくとも１つのコントローラによって作動するように及び／又は制御されるように設計されていてもよい。
【００５１】
本発明の更なる態様では、複数の試料の少なくとも１つの特性を識別するための診断装置が開示されている。概してここでの使用に際し、「診断装置(diagnostics device)」という用語は、概して、少なくとも１つの診断動作、具体的には生体外診断動作(in-vitro-diagnostic operation、「試験管内の診断動作」とも)、を遂行することのできる装置をいう。診断装置は、複数の試料の少なくとも１つの特性を識別するように適合されている。具体的には、少なくとも１つの特性が試料の各々について検出され及び／又は計測されてよい。「特性(property)」という用語は、診断装置の文脈では、概して、例えば物理的手段、化学的手段、又は生物学的手段などによって計測され得る試料の任意の特性をいう。一例として、少なくとも１つの特性は、少なくとも１つの電気的に計測可能な特性、少なくとも１つの光学的に計測可能な特性、少なくとも１つの色、少なくとも１つの透明度、少なくとも１つの屈折率、など、であるか又はそれを備えていてもよい。また、少なくとも１つの特性は、検出されるべき少なくとも１つの検体の様な検出されるべき少なくとも１つの成分の含量及び／又は濃度であるか又はそれを備えていてもよい。少なくとも１つの特性を識別するための診断装置は、少なくとも１つの診断動作を遂行するように構成されている少なくとも１つの計測装置を備えていてもよい。試料取扱いのためのシステムを除いて、診断装置の考えられる実施形態については、以上に言及されている先行技術文献を参照することができる。
【００５２】
診断システムは、本発明による少なくとも１つのシステム、例えば上述の実施形態の１つ又はそれ以上によるもの及び／又は以下に更に詳細に開示されている実施形態の１つ又はそれ以上によるものなど、を備えている。従って、診断システムは、本発明による少なくとも１つの試料取扱い装置と、少なくとも１つの搬送体と、を備えている。以上に要点を述べられている様に、診断システムによって備えられている少なくとも１つの試料取扱い装置は、診断システムの一部である少なくとも１つの試料識別装置の一部であってもよい。とはいえ、追加的又は代替的に、診断システムは、更に、試料識別装置の一部ではない少なくとも１つの試料取扱い装置を備えていてもよい。診断装置は、更に、試料に係る少なくとも１つの分析動作を遂行するように構成されている少なくとも１つの分析装置を備えている。分析装置の考えられる実施形態については、概して、先行技術を参照することができる。一例として、分析装置は、試料中の、特には各試料中の、少なくとも１つの検体の存在及び／又は濃度を検出するように適合されていてもよい。
【００５３】
本発明の更なる態様では、試料を取り扱うための方法が開示されている。方法は、具体的には、例えば以上に開示されている実施形態の１つ又はそれ以上及び／又は以下に更に詳細に開示されている実施形態の１つ又はそれ以上などのような、本発明の試料取り扱い装置、試料識別装置、システム、又は診断装置、のうちの１つ又はそれ以上を活用することができる。方法は、具体的には、高スループット診断装置で使用されてもよい。方法は、下記に論じられている方法段階を備えている。その点で、方法段階は所与の順序で遂行されてもよい。とはいえ、異なる順序も実施可能である。また、方法段階の各々を１回だけ遂行すること又は繰り返し式に遂行することも実施可能である。また、方法段階の２つ又はそれ以上が繰り返し遂行されてもよい。また、方法は、ここに掲げられていない追加の方法段階を備えていてもよい。また、方法段階の２つ又はそれ以上が、全体的又は部分的に、同時に又は時間的に重なり合う様式で遂行されてもよい。
【００５４】
方法は、少なくとも下記の段階、即ち、
−少なくとも１つの磁気位置決め装置を使用することによって、試料が中に配置されている少なくとも１つの容器を搬送する搬送体を試料取り扱い装置に磁気的に保持する段階、
を備えている。
【００５５】
方法は、更に、下記の段階、即ち、
−少なくとも１つのリーダを使用することによって、搬送体によって搬送される容器へ付着されている少なくとも１つの識別子を読み取る段階、
を備えている。
【００５６】
後者の場合には、試料取扱いのための方法は、更に、全体的又は部分的に、試料を識別するための方法として具現化されていてもよく、及び／又は試料を識別する１つ又はそれ以上の段階を備えていてもよい。
【００５７】
方法の更なる詳細及び随意的な実施形態については、以上に与えられている試料識別装置の開示を参照することができる。
【００５８】
方法は、少なくとも１つの回転子を使用することによって、試料取り扱い装置内で搬送体を向き付ける段階を更に備えていてもよい。以上に論じられている様に、向き付けは搬送体を既定の向きに入れることを含意することもある。とはいえ、追加的又は代替的に、向き付けは、更に、搬送体の回転を含意することもある。具体的には、搬送体を向き付ける段階は、搬送体によって搬送される容器へ付着されている識別子を向き付ける段階を備えていてもよい。一例として、方法は、搬送体を試料取扱い装置へ移送する段階と、回転子を使用することによって、搬送体を試料取り扱い装置内で、識別子がリーダによって読み取り可能になるまで、好適には視認可能になるまで回転させる段階と、最終的に識別子を読み取る段階と、を備えていてもよい。読み取る段階は、搬送体が静止しているときに起こってもよいし、又は搬送体の回転中にさえ起こってもよい。こうして、具体的にはバーコードがその線を円周方向式に向き付けられるようにして使用される場合には、向き付け中にスキャンが起こってもよく、そうすれば試料識別の速度が上がる。
【００５９】
上述の装置及び方法は、様々なやり方で改善され具現化されることができる。したがって、以上に要点を述べられている様に、容器は、具体的には、単純なバーの一次元バーコードの様なバーコードをその上に有する試験管であってもよい。バーコードは、一例として、試験管の移送中及び／又は移送後に識別されなくてはならない、ということもある。この目的のため、本発明を使用することによって、試験管は適切なやり方で向き付けられなくてはならない、ということもある。概して、少なくとも１つのリーダを使用することによって、搬送体によって搬送される容器へ付着されている少なくとも１つの識別子を読み取る段階の後に、１つ又はそれ以上の追加の段階が続いていてもよい。よって、一例として、読み取りの後に、試料取り扱い装置内の搬送体が第２の既定の向きに向き付けられるように、方法が遂行されるか又は試料識別装置が設計されていてもよく、第２の既定の向きは読み取りの向きと同一であってもよいし、又は読み取りの向きとは異なっていてもよい。従って、一例として、識別子を読み取る段階の後に、搬送体は、少なくとも１つの回転子によって、少なくとも１つの識別子が特定の既定方向に向くよう向け直されるようになっていてもよい。これは、少なくとも１つの容器を上述の分析装置の様なシステムの別のステーションへ既定の向きで移動させるのに使用することができる。また、具体的に分析装置では、診断装置及び／又は方法は、例えば少なくとも１つの試験管をパックから抜き取るなどによって、少なくとも１つの容器が少なくとも１つの搬送体から取られるように具現化されていてもよい。上述のホールドダウン装置はこのやり方で設計されていてもよい。そうすると、概して、試料識別装置の少なくとも１つのホールドダウン装置は、少なくとも１つの容器を搬送体から取り出す間中、搬送体を保持するように構成されていてもよい。具体的には、試料取扱い装置、試料識別装置及び／若しくはシステム並びに／又は少なくとも１つの診断装置は、少なくとも１つの容器を搬送体から抜き取るための少なくとも１つの自動抜き取りシステムを備えていてもよい。一例として、具体的に搬送体が試料識別装置のホールドダウン装置に入っているときに搬送体から少なくとも１つの容器を抜き取るためにロボット又はロボットアームが使用されていてもよい。試料識別装置は、特に、上述の向け直しプロセスによって、搬送体がホールドダウン装置に入っているときに少なくとも１つの識別子が既定のやり方で向き付けられるように設計されていてもよい。従って、容器が搬送体から取り出されるとき、容器の識別子は、例えば識別子情報を別のリーダへ提供するために、及び／又は光学的計測の様な他の分析目的の邪魔にならないために、既定方向を向くことができる。一例として、以上に論じられている様に、容器は搬送体から或る既定の向きに取り出され、容器ラックの中へ或る既定の向きで挿入されてもよい。
【００６０】
容器、具体的に試験管は、概して、単一ホルダ搬送体、即ちそれぞれが厳密に１つの容器を受け入れる能力のある１つ又はそれ以上の搬送体、に配置されていてもよい。それにより、搬送体の向き付けで、その中に配置されている容器の向き付けが決まることになる。
【００６１】
具体的には、試料取扱い装置では、少なくとも１つの搬送体は、磁気位置決め装置及び／又は少なくとも１つの随意的なローラーに近接して位置付けられるようになっていてもよい。したがって、試料取扱い装置は、少なくとも１つの搬送体を試料取扱い装置へと案内するための追加の手段を提供していてもよい。一例として、１つ又はそれ以上のガイドレール及び／又は１つ又はそれ以上の傾斜が、ハウジングに及び／又は試料取扱い装置の他の部分に提供されていてもよい。したがって、一例として、電磁石自体の少なくとも１つのコアが少なくとも１つの搬送体を正確な位置に案内するための傾斜又は案内要素を提供していてもよい。また、少なくとも１つの搬送体は、少なくとも１つの試料取扱い装置へ、例えば前側からの様に直接的に挿入されてもよい。
【００６２】
したがって、以上に論じられている様に、試料取扱い装置は少なくとも１つの当接面を備え、そこへ搬送体が、厳密にはパックが、部分的に係合するはずであり、その結果、当接面が搬送体を部分的に取り囲み、こうして搬送体を位置決めするようになっていてもよい。ここでの使用に際し、「当接面(abutment surface)」という用語は、概して、搬送体を試料取り扱い装置に対して位置決めするといった様に搬送体を位置決めするために搬送体と係合することのできる試料取扱い装置の任意の面又は面の組合せをいう。したがって、搬送体の位置決めは、磁気位置決め装置によって及ぼされる磁気的保持力と、随意的及び追加的なものとして、当接面によって及ぼされる機械的案内効果また更には機械的保持効果と、の組合せであってもよい。
【００６３】
当接面は、具体的には、複数の面区分を或る角度様式に配列させて備えている面又は湾曲した面の様な、非平坦当接面とすることができる。非平坦当接面の他の実施例も可能であり、本発明で実施することもできる。したがって、一例として、搬送体の矩形又は星形をしている円周面と、当接面の相応に適切で対応している形状と、が構想されるかもしれない。概して、当接面は少なくとも部分的に搬送体の外側の形状に適合するものであってもよい。
【００６４】
当接面及び搬送体は、具体的には、当接面と搬送体の間のぴったり合った接続(form-fit connection)が確立されるように構成することができるであろう。搬送体は、磁気位置決め装置によって及ぼされる磁力によって当接面へ押し付けられることになる。
【００６５】
以上に要点を述べられている様に、磁気位置決め装置と、随意であるが１つ、２つ、又はそれ以上の回転子とは、当接面の一部を形成していてもよい。また、搬送体を試料取扱い装置へと案内するための上述の手段も同様に当接面の一部を形成していてもよい。具体的には、搬送体が部分的に試料取扱い装置の中へ挿入されるとき及び搬送体が当接面と係合するときに、搬送体の表面と当接面の間の距離が当接面に亘って実質的に一定であるように、当接面は少なくとも実質的に搬送体の外側の湾曲を模した湾曲又は非平坦形状を有するものとすることができる。その点での使用に際し、「実質的に(原文：essentially。なお、原文の他の部分に現れる「substantially」も「実質的に」と訳す場合がある)」という用語は、概して、搬送体の表面と当接面の間の距離が、当接面に亘って５倍より多くは変化しない、好適には４倍以下、３倍以下、又は２倍以下しか変化しない、ということを含み得る。
【００６６】
その点で、仮に試料取扱い装置の複数の要素が当接面の一部を形成している場合、必ずしもこれらの要素は全て面全域を提供しなくてはならない又は当接面への全域的寄与を提供しなくてはならないとは限らない。したがって、一例として、回転子については、線形状の垂直方向要素が当接面に寄与することもできるだろう、というのは、一例として、丸い搬送体と丸い回転子との接点は概して線であるからだ。したがって、この実施形態又は他の実施形態の当接面は、複数の要素を相互接続させて有している組み合わせ面か又は複数の要素を孤立させて有していてそれら複数の要素がみな全体で上記搬送体位置決め効果を集約している組み合わせ面であってもよい。
【００６７】
好適には、搬送体が試料取扱い装置によって保持されるとき、搬送体は、既定位置に、既定の精度で、例えばずれ量において０．５ミリメートル未満の精度などで、保持されるのが望ましい。具体的には、試料取り扱い装置が、容器を、例えばロボット、把持具、又は容器を搬送体から取り出す別の型式の移動システムによるなどして、既定位置に受け渡すために使用される場合、特に分析システム及び／又は分析装置での受渡しに使用される場合、精度は、典型的には０．５ミリメートルより良くなくてはならない。
【００６８】
以上に要点を述べられている様に、少なくとも１つの搬送体は、全体的又は部分的に、磁性材料で作られていてもよい。その点で、搬送体全体が磁性材料で作られていてもよいし、又は搬送体の一部のみがそうであってもよい。従って、一例として、少なくとも１つのパックの様な少なくとも１つの搬送体は、少なくとも１つの磁性材料で作られた少なくとも１つの被覆を備えていてもよい。一例として、以上に要点を述べられている様に、少なくとも１つの搬送体は、円形の盤の形態をしているといったように、回転対称であってもよい。一例として、搬送体の円筒状の殻が全体的又は部分的に磁性材料で作られていてもよい。
【００６９】
以上に要点を述べられている様に、磁力によって、パックの様な搬送体は２つ又はそれ以上の垂直方向回転子へ、例えば２つ又はそれ以上の垂直方向駆動軸へ、引き付けられるようになっていてもよい。これらの駆動軸は、一例として、単純にベルト駆動機構を介して駆動されていてもよい。概して、この実施形態又は他の実施形態では、少なくとも１つの回転子は少なくとも１つのパックの様な少なくとも１つの搬送体の回転運動を摩擦力によって推進するように設計されていてもよい。その結果、少なくとも１つの搬送体は自身の垂直方向軸周りに回り始める。
【００７０】
本発明による装置及び方法は、以上に要点を述べられている様に、具体的には、少なくとも１つのバーコードの様な少なくとも１つの識別子を、搬送体ひいては容器の適切な向き付けによって向き付けるために使用することができ、少なくとも１つの識別子のスキャン若しくは一般的には読み取りが回転中に起こるようになっていてもよい。こうして、試験管上のバーコードのスキャンが回転中に起こることになる。バーコード若しくは一般的には識別子が検出されたら、搬送体は識別子が所望の向きの方を指すまで更に回転されることになる。続いて、試験管の様な容器は、設置されるために、パックの様な搬送体から取り出されることになる。以上に要点を述べられている様に、この目的のために試料取扱い装置は少なくとも１つのホールドダウン装置を提供することができる。
【００７１】
こうして、本発明による試料取扱い装置、試料識別装置、並びにシステム、診断装置及び方法は、技術的に単純な試料取扱い、試料識別、及び／又は試料向き付けのやり方を提供する。識別及び／又は向き付けは、高速で起こるようにしてもよく、そうすると高スループットシステムへ容易に一体化できるだろう。また、搬送体及び／又は容器を回転要素へ押圧するのに押し出し要素又は押圧要素は必要とされないという事実に因り、本発明による装置及びシステムの全体構築体積は従来の装置及びシステムに比べ小さくすることができる。また、本発明の概念を実施するのに必要となる部品の数を従来の装置及び方法に勝って少なくすることができ、その結果、システムの費用を全般的に抑えることができる。
【００７２】
以上に要点を述べられている様に、発明は、全体的又は部分的に、コンピュータ制御様式に具現化することもできる。具体的には、同じく以上に要点を述べられている様に、少なくとも１つのコントローラは、１つ又はそれ以上のソフトウェア機能を実施するように設計されていてもよい。一例として、少なくとも１つの回転子を駆動するためのステップモータの回転運動及び／又は制御はコンピュータ制御型であってもよい。
【００７３】
そういうわけで、発明は、更に、コンピュータ又はコンピュータネットワーク上で実行されたときにここに開示されている実施形態の１つ又はそれ以上での本発明による方法を遂行するためのコンピュータ実施可能命令を含むコンピュータプログラムを開示し提案している。具体的には、コンピュータプログラムはコンピュータ可読データ担体上に記憶されていてもよい。こうして、具体的には、以上に指示されている方法段階のうちの１つ、１つより多く、また更には全てが、コンピュータ又はコンピュータネットワークを使用することによって、好適にはコンピュータプログラムを使用することによって、遂行されることになる。
【００７４】
発明は、更に、コンピュータ又はコンピュータネットワーク上で実行されたときにここに開示されている実施形態の１つ又はそれ以上での本発明による方法を遂行するために、プログラムコード手段を有するコンピュータプログラム製品を開示し提案している。具体的には、プログラムコード手段はコンピュータ可読データ担体上に記憶されていてもよい。
【００７５】
また、発明は、データ構造を記憶させたデータ担体であって、コンピュータ又はコンピュータネットワークへ、例えばコンピュータ又はコンピュータネットワークの稼働メモリ又は主メモリへローディングした後に、ここに開示されている実施形態の１つ又はそれ以上による方法を実行することができるデータ構造を記憶させたデータ担体を開示し提案している。
【００７６】
発明は、更に、コンピュータ又はコンピュータネットワーク上で実行されたときにここに開示される実施形態の１つ又はそれ以上による方法を遂行するために、プログラムコード手段を機械可読担体上に記憶させたコンピュータプログラム製品を提案し開示している。ここでの使用に際し、コンピュータプログラム製品は取引できる製品としてのプログラムをいう。製品は、概して、紙のフォーマットで存在するとか又はコンピュータ可読データ担体上に存在するなど、任意のフォーマットで存在していてよい。具体的には、コンピュータプログラム製品はデータネットワークを介して流通させることができる。
【００７７】
最後に、発明は、ここに開示されている実施形態の１つ又はそれ以上による方法を遂行するために、コンピュータシステム又はコンピュータネットワークによって読み出すことのできる命令を格納している変調データ信号を提案し開示している。
【００７８】
発明のコンピュータ実装型の態様に関し、ここに開示されている実施形態の１つ又はそれ以上による方法の方法段階の１つ又はそれ以上、また更には方法段階全ては、コンピュータ又はコンピュータネットワークを使用することによって遂行されるのが好適である。こうして、概して、データの提供及び／又はデータの操作を含む方法段階の何れかがコンピュータ又はコンピュータネットワークを使用することによって遂行されてもよい。概して、これらの方法段階は、方法段階のうち、典型的には試料を提供する段階といった様な手による作業を要する方法段階及び／又は実際の計測を遂行する特定の態様を除いた何れかを含み得る。
【００７９】
具体的には、本発明は、更に、
−少なくとも１つのプロセッサを備えているコンピュータ又はコンピュータネットワークであって、プロセッサは本記述中に説明されている実施形態の１つによる方法を遂行するように適合されている、コンピュータ又はコンピュータネットワーク、
−コンピュータロード可能データ構造であって、データ構造がコンピュータ上で実行されている間は本記述中に説明されている実施形態の１つによる方法を遂行するように適合されているコンピュータロード可能データ構造、
−コンピュータプログラムであって、プログラムがコンピュータ上で実行されている間は本記述中に説明されている実施形態の１つによる方法を遂行するように適合されているコンピュータプログラム、
−コンピュータプログラムであって、コンピュータプログラムがコンピュータ又はコンピュータネットワーク上で実行されている間は本記述中に説明されている実施形態の１つによる方法を遂行するためのプログラム手段を備えているコンピュータプログラム、
−上記実施形態によるプログラム手段を備えているコンピュータプログラムであって、プログラム手段はコンピュータにとって可読である記憶媒体上に記憶されている、コンピュータプログラム、
−記憶媒体であって、データ構造が記憶媒体上に記憶されていて、データ構造はコンピュータ又はコンピュータネットワークの主ストレージ及び／又は稼働ストレージへロードされた後に本記述中に説明されている実施形態の１つによる方法を遂行するように適合されている、記憶媒体、
及び、
−プログラムコード手段を有するコンピュータプログラム製品であって、プログラムコード手段は、コンピュータ上又はコンピュータネットワーク上で実行された場合に本記述中に説明されている実施形態の１つによる方法を遂行するために、記憶媒体上に記憶させることができる又は記憶されている、コンピュータプログラム製品、
を開示している。
【００８０】
本発明の知見を要約すると、以下の実施形態が好適である。
【００８１】
（実施形態１）
試料取り扱い装置、特に高スループット診断装置での使用のための試料取扱い装置であって、試料取り扱いステーションは試料取り扱い装置内で搬送体を磁気的に保持するための少なくとも１つの磁気位置決め装置を備え、搬送体は少なくとも１つの容器を搬送するように構成されている。
【００８２】
（実施形態２）
上記実施形態による試料取扱い装置において、搬送体を試料取扱い装置内で回転させるための少なくとも１つの回転子を更に備えている試料取扱い装置。
【００８３】
（実施形態３）
上記実施形態による試料取扱い装置において、磁気位置決め装置は搬送体を磁力によって回転子へ引き付けるように構成されている、試料取扱い装置。
【００８４】
（実施形態４）
上記２つの実施形態の何れか１つによる試料取扱い装置において、試料取扱い装置は少なくとも２つの回転子を備え、磁気位置決め装置は、少なくとも部分的に、少なくとも２つの回転子の間に位置付けられている、試料取扱い装置。
【００８５】
（実施形態５）
上記３つの実施形態の何れか１つによる試料取扱い装置において、少なくとも１つの回転子は、少なくとも１つの回転子シャフトと、少なくとも１つのゴム引き部と、を備えている、試料取扱い装置。
【００８６】
（実施形態６）
上記４つの実施形態の何れか１つによる試料取扱い装置において、少なくとも１つの回転子は、少なくとも１つのモータによって、好適には少なくとも１つのステップモータによって、好適には少なくとも１つの回転子へ少なくとも１つの駆動ベルトを介して接続されている少なくとも１つのモータによって、駆動される、試料取扱い装置。
【００８７】
（実施形態７）
搬送体を保持するための少なくとも１つのホールドダウン装置、を更に備えている上記実施形態の何れか１つによる試料取扱い装置。
【００８８】
（実施形態８）
上記実施形態の何れか１つによる試料取扱い装置において、磁気位置決め装置は少なくとも１つの電磁石を備えている、試料取扱い装置。
【００８９】
（実施形態９）
上記実施形態による試料取扱い装置において、電磁石は、少なくとも１つのコアと、コア上に配置されている少なくとも１つのコイルと、を備えている、試料取扱い装置。
【００９０】
（実施形態１０）
上記実施形態による試料取扱い装置において、コアは少なくとも２つの腕部を有し、少なくとも２つの腕部は試料取扱い装置の搬送体の方を指す端部を有している、試料取扱い装置。
【００９１】
（実施形態１１）
上記２つの実施形態の何れか１つによる試料取扱い装置において、コアはＥ字形状コアを備え、コアの真ん中の腕部は試料取扱い装置の搬送体の方を指しており、真ん中の腕部の互いに反対側の２つの外側腕部もまた試料取扱い装置内の搬送体の方を指している、試料取扱い装置。
【００９２】
（実施形態１２）
上記３つの実施形態の何れか１つによる試料取扱い装置において、コアはＵ字形状コアを備えていて、好適にはＵ字形状コアの２つの端部は試料取扱い装置の搬送体の方を指しており、好適には電磁石の少なくとも１つのコイルはＵ字形状コアの背骨部に配置されている、試料取扱い装置。
【００９３】
（実施形態１３）
上記５つの実施形態の何れか１つによる試料取扱い装置において、試料識別装置の少なくとも１つの回転子は、全体的又は部分的に、コアの少なくとも１つの端部と試料取扱い装置の搬送体の間に位置付けられていて、回転子は、全体的又は部分的に、磁性材料で作られている、試料取扱い装置。
【００９４】
（実施形態１４）
上記実施形態の何れか１つによる試料取扱い装置において、試料取り扱い装置は、少なくとも１つの当接面であって当接面が部分的に搬送体を取り囲み搬送体を位置決めするように搬送体が係合することのできる当接面、を更に備えている、試料取扱い装置。
【００９５】
（実施形態１５）
試料識別装置であって、
−上記実施形態の何れか１つによる少なくとも１つの試料取扱い装置と、
−搬送体によって搬送される容器へ付着されている少なくとも１つの識別子を読み取るための少なくとも１つのリーダと、
を備えている試料識別装置。
【００９６】
（実施形態１６）
少なくとも１つのコントローラを更に備えている上記実施形態による試料識別装置において、コントローラは、試料取扱い装置の搬送体によって搬送される容器へ付着されている識別子がリーダによって検出可能となるように、好適にはリーダによって視認可能となるように、試料取扱い装置を制御するように構成されている、試料識別装置。
【００９７】
（実施形態１７）
試料識別装置に関する上記実施形態の何れか１つによる試料識別装置において、リーダは、少なくとも１つの非接触識別子を読み取るためのリーダ、好適にはＲＦＩＤタグ又はバーコードの少なくとも１つのためのリーダ、である、試料識別装置。
【００９８】
（実施形態１８）
試料識別装置に関する上記実施形態の何れか１つによる試料識別装置において、リーダは、少なくとも１つの光学的リーダ、より好適には少なくとも１つのバーコードリーダ、を備えている、試料識別装置。
【００９９】
（実施形態１９）
上記実施形態による試料識別装置において、光学的リーダは、ラインスキャナ、好適には試料取扱い装置の搬送体の回転軸に平行な線をスキャンするように構成されているラインスキャナ、である、試料識別装置。
【０１００】
（実施形態２０）
試料取扱い装置に関する上記実施形態の何れか１つによる少なくとも１つの試料取扱い装置を備えている、試料取扱いのためのシステムであって、少なくとも１つの容器を搬送するための少なくとも１つの搬送体、を更に備えているシステム。
【０１０１】
（実施形態２１）
上記実施形態によるシステムにおいて、試料取扱い装置は、搬送体を試料取り扱い装置の位置に対して位置決めするため、搬送体の少なくとも１つの面、例えば搬送体の少なくとも１つの円周面など、と係合するように構成されている少なくとも１つの当接面を備えている、システム。
【０１０２】
（実施形態２２）
システムは、試料識別装置に関する上記実施形態の何れか１つによる少なくとも１つの試料識別装置を備えている。
【０１０３】
（実施形態２３）
システムに関する上記実施形態の何れか１つによるシステムにおいて、搬送体は磁性材料で作られている、システム。
【０１０４】
（実施形態２４）
システムに関する上記実施形態の何れか１つによるシステムにおいて、搬送体は、全体的又は部分的に、少なくとも１つの磁気的に軟らかい材料又は少なくとも１つの強磁性材料のうちの１つ又はそれ以上で作られている、システム。
【０１０５】
（実施形態２５）
システムに関する上記実施形態の何れか１つによるシステムにおいて、搬送体は回転対称性の円盤である、システム。
【０１０６】
（実施形態２６）
システムに関する上記実施形態の何れか１つによるシステムにおいて、搬送体は容器を受け入れるための少なくとも１つのレセプタクルを備えている、システム。
【０１０７】
（実施形態２７）
レセプタクル内に受け入れられている少なくとも１つの容器、を更に備えている上記実施形態によるシステム。
【０１０８】
（実施形態２８）
上記実施形態によるシステムにおいて、容器は試験管である、システム。
【０１０９】
（実施形態２９）
上記２つの実施形態の何れか１つによるシステムにおいて、容器は搬送体の上側でレセプタクルから突き出ている、システム。
【０１１０】
（実施形態３０）
システムに関する上記実施形態の何れか１つによるシステムであって、複数の搬送体を移送するための少なくとも１つの移送装置、を更に備えているシステム。
【０１１１】
（実施形態３１）
複数の試料の少なくとも１つの特性を識別するための診断装置であって、診断システムはシステムに関する上記実施形態による少なくとも１つのシステムを備えていて、診断装置は試料に係る少なくとも１つの分析動作を遂行するように構成されている少なくとも１つの分析装置を更に備えている。
【０１１２】
（実施形態３２）
試料を取り扱うための方法、特に高スループット診断装置での使用のための方法であって、
−少なくとも１つの磁気位置決め装置を使用することによって、試料が中に配置されている少なくとも１つの容器を搬送する搬送体を試料取扱い装置内で磁気的に保持する段階、
を備えている、方法。
【０１１３】
（実施形態３３）
上記の項による方法であって、
−少なくとも１つのリーダを使用することによって、搬送体によって搬送される容器へ付着されている少なくとも１つの識別子を読み取る段階、
を更に備えている、方法。
【０１１４】
（実施形態３４）
上記２つの実施形態の何れか１つによる方法において、試料取扱い装置に関する上記実施形態の何れか１つによる試料取扱い装置及び／又は試料識別装置に関する上記実施形態の何れか１つによる試料識別装置が使用されている、方法。
【０１１５】
（実施形態３５）
方法に関する上記実施形態の何れか１つによる方法において、方法は、下記の段階、即ち、
−少なくとも１つの回転子を使用することによって、搬送体を試料取扱い装置内で向き付ける段階、
を更に備えている、方法。
【０１１６】
（実施形態３６）
上記実施形態による方法において、搬送体を向き付ける段階は、搬送体によって搬送される容器へ付着されている少なくとも１つの識別子を向き付ける段階を備えている、方法。
【０１１７】
（実施形態３７）
上記実施形態による方法において、方法は、搬送体を試料取扱い装置へ移送する段階と、回転子を使用することによって、搬送体を試料取扱い装置内で識別子が読み取り可能となるまで回転させる段階と、識別子を読み取る段階と、を備えている、方法。
【０１１８】
（実施形態３８）
実施形態１４による試料取扱い装置において、当接面は角度をつけられている、試料取扱い装置。
【０１１９】
（実施形態３９）
実施形態３８による試料取扱い装置において、当接面は搬送体との線接触を提供する形状をしている、試料取扱い装置。
【０１２０】
（実施形態４０）
実施形態３８又は実施形態３９による試料取扱い装置において、当接面は互いに対して傾斜している少なくとも２つの面部分を備えている、試料取扱い装置。
【０１２１】
（実施形態４１）
実施形態３０によるシステムにおいて、移送装置は搬送体のための移送面とボビンとを有し、当接面によって画定されている、試料取扱い装置での搬送体のための受渡し位置は、２つのボビンの中間に置かれている、システム。
【０１２２】
次に続く好適な実施形態の説明では、発明の更なる随意的な特徴及び実施形態が、より詳細に、望ましくも従属請求項と関連付けて、開示されている。その中で、それぞれの随意的な特徴は、当業者には認識される様に、単独化された様式に実現されることもあれば何れかの任意の実施可能な組合せに実現されることもある。発明の範囲は好適な実施形態によって制限されない。実施形態は図に概略的に描かれている。その中で、これらの図における同一の符号は同一の要素又は機能的に匹敵する要素を指す。
【図面の簡単な説明】
【０１２３】
【図１】本発明による試料取扱い装置及び試料識別装置の或る例示としての実施形態を斜視図で示している。
【図２Ａ】試料取扱い装置の（訳注：図２Ａから図２Ｅのそれぞれにおいて視点が）異なる図（訳注：明細書本文によれば斜視上面図）を示している。
【図２Ｂ】試料取扱い装置の異なる図（訳注：明細書本文によれば断面側面図）を示している。
【図２Ｃ】試料取扱い装置の異なる図（訳注：明細書本文によれば下方からの斜視図）を示している。
【図２Ｄ】試料取扱い装置の異なる図（訳注：明細書本文によれば断面上面図）を示している。
【図２Ｅ】試料取扱い装置の異なる図（訳注：明細書本文によれば前面図）を示している。
【図３】本発明による試料取扱い装置の代わりの実施形態を示している。
【図４】本発明による試料取扱い装置の代わりの実施形態を示している。
【図５】本発明による試料取扱い装置の代わりの実施形態を示している。
【図６】本発明による試料取扱い装置の代わりの実施形態を示している。
【図７】本発明による試料取扱い装置の代わりの実施形態を示している。
【図８】本発明による試料取扱い装置の代わりの実施形態を示している。
【図９】本発明による試料取扱い装置の代わりの実施形態を示している。
【図１０】本発明による試料取扱い装置の代わりの実施形態を示している。
【図１１】本発明による試料取扱い装置の代わりの実施形態を示している。
【図１２】本発明による試料取扱い装置の代わりの実施形態を示している。
【発明を実施するための形態】
【０１２４】
図１には、試料取扱い装置１２８及び試料識別装置１１０の或る実施例が斜視図で示されている。この図に示されている実施形態はまた、試料取扱いのためのシステム１１２の例示としての実施形態とすることもでき、システム１１２は、試料取扱い装置１２８及び／又は試料識別装置１１０に加え、試験管１２０の様な少なくとも１つの容器１１８を搬送するための搬送体１１４であって本事例ではパック１１６とも呼称される搬送体１１４を有している。容器１１８の中には、少なくとも１つの試料１２２、例えば少なくとも１つの生物学的標本など、が受け入れられるようになっていてもよい。試料１２２をその中に入れた容器１１８は、下記では、「試料」とも呼称されて得るだろう。システム１１２は、更に、図１には象徴的に描かれているだけであるが複数の搬送体１１４の様な少なくとも１つの搬送体１１４を移送するように適合されている少なくとも１つの移送装置１２４を備えることができる。移送装置１２４の例示としての実施形態については、例えば以上に言及されている、国際公開第２０１１／１３８４４８Ａ１号に開示されているシステム、を参照することができる。したがって、移送装置１２４は搬送体１１４を磁力によって移送するように適合されていてもよい。とはいえ他の実施形態も実現可能である。したがって、移送装置１２４は、一例として、パック１１６を滑らせる滑動面を備え、滑動面の下にはパック１１６を所望場所へ磁気的に動かすための１つ又はそれ以上の磁石が設置されていてもよい。
【０１２５】
図１は、更に、複数の試料１２２の少なくとも１つの特性を識別するための診断装置１２６の一部の例示としての実施形態である。診断装置１２６は、試料１２２に係る少なくとも１つの分析動作を遂行するように構成されている少なくとも１つの分析装置を更に備えていてもよい。分析装置は図１には描かれていない。例示としての実施形態については、先と同じく、以上に言及されている国際公開第２０１１／１３８４４８Ａ１号の様な先行技術文献を参照することができる。但し他の実施形態も実現可能である。
【０１２６】
試料識別装置１１０は、図１に示されている例示としての実施形態では、少なくとも１つの試料取扱い装置１２８と、容器１１８へ付着されている少なくとも１つの識別子１３２を読み取るための少なくとも１つのリーダ１３０と、を備えている。試料取扱いのためのシステム１１２は、随意的な試料識別装置１１０によって備えられている少なくとも１つの試料取扱い装置１２８とは別に、追加的又は代替的に１つ又はそれ以上の他の試料取扱い装置１２８を備えていてもよい、ということを指摘しておきたい。したがって、図１の左側には、以下に更に詳細に示されている試料取扱い装置１２８と実質的に同様に具現化されていてもよいとされる追加の試料取扱い装置１２８’が示されている。但し、追加の試料取扱い装置１２８’は、回転子を備えていなくてもよく、何れかの搬送体１１４を回転させるように具現化されていなくてもよい。追加の試料取扱い装置１２８’は、単に搬送体１１４を当接面１６０に保持するために使用されていてもよい。追加の試料取扱い装置１２８’は、一例として、容器１１８が搬送体１１４からこの図には示されていない例えば容器ラックへの移動のために例えばロボット又は別の抜き取りシステムなどにより例えば既定の向きにて取り出される試料抜き取りステーション１３３の一部であってもよい。但し他の実施形態も実現可能である。
【０１２７】
システム１１２は、更に、搬送体１１４を保持するための少なくとも１つのホールドダウン装置１３４を備えていてもよい。少なくとも１つのホールドダウン装置１３４は、図１の右側の試料識別装置１１０に見られる様に試料取扱い装置１２８の一部であってもよいし、また同様に、追加的又は代替的には、全体的又は部分的に、図１の左側に見られる様に少なくとも１つの当接要素１９６を有する独立したホールドダウン装置１３４として具現化されていてもよい。
【０１２８】
リーダ１３０は、具体的には、ラインスキャナの様な少なくとも１つのバーコードリーダ１３６であるか又はバーコードリーダを備えていてもよい。一例として、ラインスキャナは、試験管１２０の長手方向軸をスキャンするように構成されていてもよい。そうすると識別子１３２は具体的には少なくとも１つの一次元バーコードの様な少なくとも１つのバーコード１３８であるか又はその様な少なくとも１つのバーコード１３８を備えるものということになろう。
【０１２９】
パック１１４の様な搬送体１１４は、全体的又は部分的に、少なくとも１つの磁性被覆の様な少なくとも１つの磁性材料で作られていてもよい。更に、搬送体１１４は、少なくとも１つの試験管１２０の様な、１つ又はそれ以上の、好適には厳密に１つの、容器１１８を受け入れるための少なくとも１つのレセプタクル１４０を備えていてもよい。一例として、レセプタクル１４０は容器１１８を同心に受け入れる構成であってもよい。したがってパック１１６は一例として回転対称式に構成されていて、試験管１２０が対称の回転軸に平行に向き付けられるというようになっていてもよい。
【０１３０】
試料取扱い装置１２８、試料識別装置１１０、システム１１２、又は診断装置１２６の１つ又はそれ以上は、更に、図１に象徴的に描かれているだけである少なくとも１つのコントローラ１４２を備えていてもよい。一例として、コントローラ１４２は、１つ又はそれ以上のプロセッサ及び／又は１つ又はそれ以上のコンピューティングデバイスを備えていてもよい。コントローラ１４２の例示としての実施形態については、以上に言及されている先行技術文献の１つ又はそれ以上を参照することができる。
【０１３１】
移送装置１２４は、搬送体１１４を試料識別装置１１０へ移送し、試料識別装置１１０内で試料取扱い装置１２８へ移送する。試料取扱い装置１２８の或る実施形態の詳細が図２Ａから図２Ｅに示されている。これらの図は、試料取扱い装置１２８を、斜視上面図（図２Ａ）、断面側面図（図２Ｂ）、下方からの斜視図（図２Ｃ）、断面上面図（図２Ｄ）、及び前面図（図２Ｅ）、で示している。下記では、これらの図が併せて解説されている。
【０１３２】
まず、例えば図２Ａ及び図２Ｃに確認できる試料取り扱い装置１２８は、ハウジング１４４を備えていて、ハウジング１４４を試料識別装置１１０の他の部分や試料識別装置１１０の主本体１４８の様なシステム１１２の他の部分へ取り付けるための接続要素１４６も共に備えている。接続要素１４６は残りの図には描かれていない。ハウジング１４４は、搬送体１１４を試料取扱い装置１２８へ案内するための、１つ又はそれ以上の案内面の様な１つ又はそれ以上の案内要素１５０を備えていてもよい。
【０１３３】
試料取扱い装置１２８は、少なくとも１つの磁気位置決め装置１５２を更に備えている。一例として、磁気位置決め装置１５２は、少なくとも１つのコア１５６とコア１５６上に配置されている少なくとも１つのコイル１５８とを有する少なくとも１つの電磁石１５４、を備えていてもよい。
【０１３４】
試料取扱い装置１２８は、以上に解説されている様に、搬送体１１４を平坦位置に保持しておくために、試料取り扱い装置１２８に置かれた搬送体１１４の上面に張り出す張り出し縁を試料取り扱い装置１２８の上側に形成している１つ又はそれ以上の当接要素１９６を提供するなどによって、１つ又はそれ以上のホールドダウン装置１３４を備えていてもよい。
【０１３５】
試料取扱い装置１２８は、更に、コア１５６と、試料取り扱い装置１２８の他の要素、例えばハウジング１４４及び／又は回転子１６８、１７０など、以下に更に詳細に解説されている、と、によって形成されている当接面１６０を備えているか又は形成していてもよい。図１に見ることのできる搬送体１１４は、例えば以下で図２Ｄ、図３、図４、及び図１１に示されている実施形態からより明瞭に分かる様に、当接面１６０へと係合してゆく。当接面１６０は、具体的には、非平坦な当接面であるか、又は湾曲した当接面とすることさえできる。当接面１６０が搬送体１１４の外面を部分的に取り囲むように、及び／又は当接面１６０が搬送体１１４相手にぴったりした接続を形成する構成となるように、当接面１６０の湾曲は搬送体の１１４の外側の湾曲を模していてもよい。当接面１６０が搬送体１１４に近接するというのであってもよいし、又は搬送体１１４と接触するようになっていてもよい。当接面１６０は、一例として、搬送体１１４の外側の形状と同様の形状を有していてもよい。一例として、当接面１６０は、搬送体１１４の半径と同一又は同様の曲率半径を有する湾曲形状を有していてもよい。
【０１３６】
コア１５６は、以下に更に詳細に要点を述べられている様に、複数の腕部１６２を有していて、例えば真ん中の腕部１６４にコイル１５８が配置され、２つの外側の腕部１６６はハウジング１４４の一部であってコイル１５８の外に位置している、というのであってもよい。よって、一例として、コア１５６はＥ字形状コアであってもよい。以下に更に詳細に要点を述べられている様に、他の実施形態も実現可能である。
【０１３７】
試料取扱い装置１２８は、図２Ｅの前面図に確認できる様に具体的にはコア１５６に対して対称に位置する複数の回転子１６８、１７０を更に備えることができる。搬送体１１４、具体的にはパック１１６が、回転子１６８、１７０と接触するように、コア１５６は回転子１６８、１７０と共に当接面１６０を形成していてもよい。回転子１６８、１７０は、全体的又は部分的に、金属材料、例えば磁性金属材料など、一例として非磁性ステンレス鋼、で作られていてもよい。回転子１６８、１７０は、全体的又は部分的に、非磁性材料で作られていてもよい。非磁性材料の使用は、搬送体１１４を試料取扱い装置１２８から解放するために磁力の単純な反転を可能にさせる。とはいえ他の材料を選択することも実施可能である。
【０１３８】
回転子１６８、１７０は、回転子１６８、１７０と搬送体１１４の間の摩擦力を増加させるために、少なくとも１つのゴム引き部１７２を備えていてもよい。一例として、図１に確認できる様に、回転子１６８、１７０が第１の回転方向１７４へ回転し、パック１１６が第２の回転方向１７６へ回転するように仕向ける、というようになっていてもよい。試料取扱い装置１２８は、回転子１６８、１７０のうち一方又は両方の回転を駆動するように構成されている１つ又はそれ以上の駆動機構１７８を備えていてもよい。好適には、駆動機構１７８は、回転子１６８、１７０を同期されたやり方で駆動するように構成されている。一例として、駆動機構１７８は、少なくとも１つのステップモータ１８４の様な少なくとも１つのモータ１８２によって駆動させることのできる少なくとも１つの駆動ベルト１８０を備えていてもよい。モータ１８２は、具体的には、少なくとも１つのスプール１８６を介して駆動ベルト１８０を駆動することができ、ここで、スプール１８６は駆動ベルト１８０を介して回転子１８８、１７０の回転子シャフト１８８、１９０のそれぞれへ接続されている。駆動機構１７８は、更に、例えば図２Ａ及び図２Ｂに描かれている様に、少なくとも１つのばね駆動型ベルト張力装置１９２の様な少なくとも１つのベルト張力装置１９２を備えていてもよい。
【０１３９】
電磁石１５４によって搬送体１１４へ及ぼされる磁気的な引き寄せ力によって、搬送体１１４は回転子１６８、１７０に向けて引き寄せられる。それにより搬送体１１４と回転子１６８、１７０の間の摩擦力は増加し、搬送体１１４への回転運動の伝達は、引き寄せ力又は押し付け力が搬送体１１４へ及ぼされない場合に比べ低スリップで遂行される。また、搬送体１１４を回転子１６８、１７０側へ押し出す押し出しアクターと比べ、磁気位置決め装置１５２の引き寄せアクターは空間がより少なくてすむ。図１には、磁気位置決め装置１５２によって搬送体１１４へ及ぼされる引力は符号１９４によって表されている。
【０１４０】
リーダ１３０による容器１１８のスキャンは、容器１１８の回転中に起こるようになっていてもよい。リーダ１３０は、回転中に識別子１３２を探し、識別子１３２が見つかったら読み取るようになっていてもよい。識別子１３２の検出後、容器１１８は識別子１３２が随意的に特定の既定方向を指してゆくまで更に回転させられてもよい。続いて、搬送体１１４は、移送装置１２４によって、試料抜き取りステーション１３３へ移され、そこで搬送体１１４がホールドダウン装置１３４の当接要素１９６によって所定位置に保持されている間に容器１１８が搬送体１１４から取り出されるようになっていてもよい。容器１１８は、図に描かれていないロボットの様な任意のアクチュエータによって取り出されるようになっていてもよい。
【０１４１】
図２Ｄでは、電磁石１５４の主磁束は符号１９８で表されていて破線で象徴的に描かれている。更に、この図では、磁気分路又は散乱又は拡散磁束が符号２００で表されていて点線で象徴的に描かれている。主磁束１９８は搬送体１１４を引き寄せるのに使えるのに対し、散乱磁束２００は、理論に縛られたいわけではないが、典型的には搬送体を所望位置に固定するための所望磁力に寄与しない損失と見なすことができる。
【０１４２】
主磁束１９８を、また磁気位置決め装置１５２の効率を、改善するために、電磁石１５４は変えられてもよい。従って、図２Ｄに断面図で描かれている様に、電磁石のコア１５６は腕部１６４、１６６を有するＥの字の形状を有していて、真ん中の腕部１６４にコイル１５８が置かれていてもよい。以上に要点を述べられている様に、回転子１６８、１７０は、全体的又は部分的に、磁性材料で作られていて、搬送体１１４とコア１５６の外側腕部１６６の間に位置付けられていてもよい。こうして、磁気回路でのギャップの数と寸法を削減することができる。
【０１４３】
しかしながら、図３から図１２に示されている代わりの実施形態に描かれている様に、他のセットアップも概して実現可能である。これらの実施形態は、磁気位置決め装置１５２、回転子１６８、１７０、及び搬送体１１４しか示していない。試料識別装置１１０、システム１１２、試料取扱い装置１２８、及び診断装置１２６、の詳細事項の考えられる更なる実施形態については、以上に与えられている図１から図２Ｅの説明を参照することができる。但し他の実施形態も実現可能であることを指摘しておきたい。
【０１４４】
まず、図３、図４、及び図７から図１２は、コア１５６がＥ字形状を有していて、コア１５６の真ん中の腕部１６４にコイル１５８が置かれている、という実施形態を示している。それら実施形態は、主に、外側腕部１６６の端部２０２の設計のやり方に相違がある。各事例では、端部２０２が、また真ん中の腕部１６４も、コア１５６の背骨部２０４から延びていて、程度の差こそあれ搬送体１１４の方を指している。したがって搬送体１１４はコア１５６と共に磁気ループを閉じている。これらの図、特に図３、図４、図９、図１０、及び図１１から分かる様に、コア１５６の当接面１６０は搬送体１１４に対し或る距離に位置していて、それにより僅かなギャップが形成されるようにしていてもよい。但し、当接面１６０は、搬送体１１４の外面の形状を反映するために湾曲していてもよい。具体的には、当接面１６０は、円筒型凹形状を有する凹面とすることができる。更に見て取れる様に、コア１５６は、搬送体１１４に面するその前面が、当接面１６０の一部を形成していて、当接面１６０の曲率半径又は平均曲率半径に対応する曲率半径を有する湾曲形状の様な湾曲形状を有していてもよい。
【０１４５】
図３に示されている実施形態では、外側腕部１６６の端部２０２は内方に曲げられ、搬送体１１４に面しており、回転子１６８、１７０は磁気回路の外にある。これに反して、図４では、端部２０２は鈍く（「blunt」。「寸胴様である」「開け放たれている」または「幅広い」とも。）、ローラー１６７、１７０の横で終わっている。
【０１４６】
図７に示されている実施形態では、ローラー１６８、１７０は提供されていない。外側腕部１６６の端部２０２は鈍く、まっすぐ搬送体１１４に面している。
【０１４７】
図８に示されている実施形態では、図７の実施形態と同様、腕部１６６の鈍い端部２０２が提供されている。なおも追加的に、回転子１６８、１７０は端部２０２と搬送体１１４との中間に提供されており、回転子１６８、１７０は全体的又は部分的に磁性材料で作られているのが好適である。
【０１４８】
図９は、図８のセットアップによく似たセットアップを示している。先と同じく回転子１６８、１７０は外側腕部１６６の寸胴の端部２０２と搬送体１１４との中間に配置させることができる。回転子１６８、１７０は、全体的又は部分的に、磁性材料又は非磁性材料で作ることができる。
【０１４９】
以上に図３及び図４に示されている実施形態に似た、図１０に示されているセットアップでは、鈍い端部２０２が回転子１６８、１７０の外面上に提供されている。
【０１５０】
図１０に示されている実施形態と同様の、図１１に示されている更なる実施形態では、外側腕部１６６の端部２０２は、回転子１６８、１７０が端部２０２と真ん中の腕部１６４との中間に位置するように提供されている。但し端部２０２は外方に曲げられている。
【０１５１】
以上に要点を述べられている様に、コア１５６は、全体的又は部分的に、同時に試料取扱い装置１２８又はその一部のハウジング１４４として使用されていてもよい。コア１５６と搬送体１１４の間の距離を増加又は減少させることによって、損失を補償することができる。
【０１５２】
図１２に概略的に示されている更なる実施形態では、試料取扱い装置１２８は、これまでの実施形態に関して説明されている当接面１６０とは異なる当接面１６０を備えている又は形成している。特に、図１２に示されている実施形態の当接面１６０は曲線状ではなく角度を付けられている。言い方を変えれば、当接面１６０は、互いに対して傾斜している少なくとも２つの面部分を備えている。図１２に示されている実施形態では、当接面１６０は、第１面部分２０６、第２面部分２０８、及び第３面部分２１０を備えている。第１面部分２０６と第２面部分２０８は互いへと移行している。同様に、第２面部分２０８と第３面部分２１０は互いへと移行している。したがって第２面部分２０８は第１面部分２０６と第３面部分２１０の間に位置している。第１面部分２０６と第２面部分２０８、そしてまた第２面部分２０８と第３面部分２１０は、それぞれ、それらの間に鈍角を形成するように互いに対し傾斜している。鈍角は同一であってもよい。搬送体１１４は、以上に説明されている様に当接面１６０へ係合してゆく。但し、当接面１６０の特定形状に因り、当接面１６０は搬送体１１４との面接触を提供しない。むしろ搬送体１１４は、図１２の投影面に対して直角に延びる所定の線にて当接面１６０に接触する。図１２に示されている実施形態では、搬送体は、第１面部分２０６に位置する１本の線と第３面部分２１０に位置する１本の線にて当接面１６０に接触する。したがって、２本の接触線しか当接面１６０によって提供されない。随意的に、当接面１６０は、搬送体１１４が第２面部分２０８の１本の線にても当接面１６０に接触するような形状をしていてもよい。当接面１６０の特定形状は、これまでの実施形態と同じ利点をもたらす。加えて、図１２に示されている実施形態の当接面１６０の特定形状は、当接面１６０との衝突後の搬送体１１４の起こり得る振動を回避する。
【０１５３】
図１２では、十字を有する円は、下層の移送面２１４のボビン２１２の位置である。例えば欧州特許第２５６６７８７号又は国際公開第２０１３／０６４６５６号に記載されている様に、搬送体１１４を表面２１４上で滑動させるため、搬送体１１４の永久磁石に対する力がボビン２１２によって現出される。通常は、搬送体１１４は、それぞれのボビンの引力によってボビンの真上に位置決めされ又は停止される。試料取扱い装置１２８、１２８’の当接面１６０によって画定されている、クランプ装置での搬送体１１４のための受渡し位置として、この位置は２つのボビン２１２の中間に置かれている。これは、例えば磁気位置決め装置１５２について、一方では搬送体１１４がそれぞれの電磁力によって当接面１６０に当てて押圧されるようにすることができ、また同じく、搬送体１１４を引き寄せるはずの電磁石からの残存しているかもしれない磁力に打ち勝つよう搬送体１１４をクランプ装置から離れさせることもできる、という利点を有する。
【０１５４】
図１から図４及び図７から図１２に示されている実施形態でのＥ字形状コア１５６とは対照的に、他の型式のコア１５６を使用することもできる。したがって一例として、図５及び図６は、概して、Ｕ字形状コア１５６が使用されている磁気位置決め装置１５２の実施形態を示している。そこでは、電磁石１５４は、電磁石１５４のコイル１５８が配置される背骨部２０４を備えている。背骨部２０４の各端に外側腕部１６６が配置されていて、外側腕部は、図５及び図６の外側腕部１６６のうち下側の腕部の様な直線形状を有していてもよいし、図５及び図６の外側腕部１６６のうち上側の腕部に示されている様に屈曲していてもよい。外側腕部１６６の端部２０２は、全体的又は部分的に、搬送体１１４の方を指していてもよい。従って、一例として、図５の実施形態では、外側腕部１６６の下側の腕部は搬送体１１４の方を指しているのに対し、外側腕部１６６の上側の腕部は平坦な円盤形状の搬送体１１４の上に位置している。これに反して、図６に示されている実施形態では外側腕部１６６の両方の端部２０２が搬送体１１４の方を指している。
【０１５５】
先と同じく、コア１５６の端部２０２の一方又は両方が当接面１６０の一部を形成していてもよい。先と同じく、一例として、当接面１６０は、これらの図に示されている様に、円筒形の搬送体１１４の外面を反映する円筒形状を有していてもよい。
【符号の説明】
【０１５６】
１１０  試料識別装置
１１２  試料取扱いのためのシステム
１１４  搬送体
１１６  パック
１１８  容器
１２０  試験管
１２２  試料
１２４  移送装置
１２６  診断装置
１２８  試料取扱い装置
１３０  リーダ
１３２  識別子
１３３  試料抜き取りステーション
１３４  ホールドダウン装置
１３６  バーコードリーダ
１３８  バーコード
１４０  レセプタクル
１４２  コントローラ
１４４  ハウジング
１４６  接続要素
１４８  主本体
１５０  案内要素
１５２  磁気位置決め装置
１５４  電磁石
１５６  コア
１５８  コイル
１６０  当接面
１６２  腕部
１６４  真ん中の腕部
１６６  外側の腕部
１６８  回転子
１７０  回転子
１７２  ゴム引き部
１７４  第１の回転方向
１７６  第２の回転方向
１７８  駆動機構
１８０  駆動ベルト
１８２  モータ
１８４  ステップモータ
１８６  スプール
１８８  回転子シャフト
１９０  回転子シャフト
１９２  ベルト張力装置
１９４  磁気引力
１９６  当接要素
１９８  主磁束
２００  散乱磁束
２０２  端部
２０４  背骨部
２０６  第１面部分
２０８  第２面部分
２１０  第３面部分
２１２  ボビン
２１４  移送面
【図１】
0006742406.tif 000002
【図２Ａ】
0006742406.tif 000003
【図２Ｂ】
0006742406.tif 000004
【図２Ｃ】
0006742406.tif 000005
【図２Ｄ】
0006742406.tif 000006
【図２Ｅ】
0006742406.tif 000007
【図３】
0006742406.tif 000008
【図４】
0006742406.tif 000009
【図５】
0006742406.tif 000010
【図６】
0006742406.tif 000011
【図７】
0006742406.tif 000012
【図８】
0006742406.tif 000013
【図９】
0006742406.tif 000014
【図１０】
0006742406.tif 000015
【図１１】
0006742406.tif 000016
【図１２】
0006742406.tif 000017